(57)【要約】【課題】  色度ムラと原稿面からの反射光によるフレア光の発生を低減する。【解決手段】  照明装置１０は、第１の色の光を発するＬＥＤチップ１ａと、ＬＥＤチップ１ａからの光によって励起され第１の色とは異なる第２の色の光を発する黄色蛍光体１ｃと、を備える光源１と、光源１からの第１の色の光と第２の色の光が入射する入射面３１と、入射面３１から入射した第１の色の光と第２の色の光とを第１の方向と直交する第２の方向に導光する導光部３２と、導光部３２内を伝播する第１の色の光と第２の色の光とを第１の方向と第２の方向とに直交する第３の方向に出射する出射面３４と、導光部３２内の第１の色の光と第２の色の光とを出射面に向けて反射する反射部４と、を備える導光部材３と、照射面から導光部材３に戻る光の光路上に配置される拡散部材１１を有してなる。【選択図】図１
2014007553.tif 000002
【特許請求の範囲】
【請求項１】
照射面を照射する照明装置であって、
第１の方向に沿って配置され、第１の色の光を発する半導体発光素子と、
上記半導体発光素子からの光によって励起され上記第１の色とは異なる第２の色の光を発する蛍光体と、
を備える半導体発光装置と、
上記半導体発光装置からの上記第１の色の光と上記第２の色の光が入射する入射面と、
上記入射面から入射した上記第１の色の光と上記第２の色の光とを第１の方向と直交する第２の方向に導光する導光部と、
上記導光部内を伝播する上記第１の色の光と上記第２の色の光とを上記第１の方向と上記第２の方向とに直交する第３の方向に出射する出射面と、
上記導光部内の上記第１の色の光と上記第２の色の光とを上記出射面に向けて反射する反射部と、
を備える導光部材と、
上記照射面から上記導光部材に戻る光の光路上に配置される拡散部材と、
を備えることを特徴とする照明装置。
【請求項２】
上記拡散部材は、拡散作用を有する拡散面と、拡散作用を有さない非拡散面を有し、
上記非拡散面は、上記出射面に対向して設けられており、
上記拡散面は、上記照射面に対向して設けられている、
請求項１記載の照明装置。
【請求項３】
上記拡散部材は、上記出射面と略平行に設けられている、
請求項１または２記載の照明装置。
【請求項４】
上記入射面から上記導光部材に入射せずに上記照射面に向かう光を遮光する遮光部材を備える、
請求項１乃至３のいずれかに記載の照明装置。
【請求項５】
上記導光部材の上記入射面とは反対側の端面から出射する光を上記照射面に反射する反射部材を備える、
請求項１乃至４のいずれかに記載の照明装置。
【請求項６】
上記拡散部材は、上記照射面から上記反射部材に戻る光の光路上に配置される、
請求項５記載の照明装置。
【請求項７】
照射面を照射する照明装置と、
上記照明装置から出射されて上記照射面で反射された光の光路上に配置された読取光学系と、
上記読取光学系を介した光が入射する撮像素子と、
を有してなる画像読取装置であって、
上記照明装置は、請求項１乃至６のいずれかに記載の照明装置である、
ことを特徴とする画像読取装置。
【請求項８】
上記照明装置と上記読取光学系と上記撮像素子とが保持される筐体を備える、
請求項７に記載の画像読取装置。
【請求項９】
画像読取装置と、
上記画像読取装置で読み取られた画像情報に基づいて記録媒体上に画像を形成する本体装置と、
を有してなる画像形成装置であって、
上記画像読取装置は、請求項７または８に記載の画像読取装置である、
ことを特徴とする画像形成装置。
【発明の詳細な説明】
【技術分野】
【０００１】
本発明は、デジタル複写機やイメージスキャナ等の画像読取装置に使用される照明装置、この照明装置を備える画像読取装置、及びこの画像読取装置を備えた画像形成装置に関するものである。
【背景技術】
【０００２】
近年、疑似白色発光ダイオード（Light Emitting
Diode：以下「ＬＥＤ」ともいう。）は、光源として多くの照明分野への応用が期待されている。
【０００３】
ここで、疑似白色ＬＥＤとは、青色ＬＥＤチップの光照射方向に黄色蛍光体を載置するものである。このような構成により、疑似白色ＬＥＤは、青色ＬＥＤチップからの青色光と黄色蛍光体が青色光に励起されて生じる黄色光とが混色して、疑似的に白色光を生成する。
【０００４】
疑似白色ＬＥＤを光源とした照明の一例としては、デジタル複写機やイメージスキャナのような画像読取装置用の画像照明装置がある。
【０００５】
また、白色光を発光する疑似白色ＬＥＤの発光スペクトルは、可視域の波長帯をカバーしている。そのため、疑似白色ＬＥＤは、白黒画像読取装置に限らずカラー画像読取装置用の画像照明装置の光源にも使用することができる。
【０００６】
以上のような疑似白色ＬＥＤを光源として用いた照明装置の一例として、例えば、長方形に内接する多角形状の導光板の光軸を原稿面に対し所定角度傾斜して配置し、導光板の入射面にＬＥＤを配置したものが知られている（例えば、特許文献１参照。）。
【０００７】
また、ＬＥＤを光源とする照明装置の他の一例として、透明フィルムにフィルム面に対する傾斜角が略一定方向を向く光路変換斜面を具備する光学フィルムを用い、光学フィルムの側面に入射した光で面発光させるものが知られている（例えば、特許文献２参照。）。
【発明の概要】
【発明が解決しようとする課題】
【０００８】
しかし、従来の技術は、擬似白色ＬＥＤを用いて照明すると、副走査方向の読み取り位置によって色度が変わり光色に変化が生じる（ムラになる）という問題がある。
【０００９】
この問題の要因としては、一般に擬似白色ＬＥＤは、青色ＬＥＤチップの発光面のサイズが１００μｍ角程度であるのに対し、黄色蛍光体の発光面のサイズが１〜２ｍｍ角と、２色の発光部のサイズが大きく異なっているからである。
【００１０】
つまり、従来の技術では、これらの発光部から放射する２色の光の原稿読み取り面における照度の比率が、副走査方向の位置によって変化してしまう。このため、２色の混色度合いが変わり得る。つまり、従来の技術では、副走査方向の位置によって色度が変わってしまう場合がある。
【００１１】
ここで、従来の技術では、副走査方向の読み取り位置のずれは、画像読取装置を組み付ける際に、画像読取装置を構成する部品の公差により発生する。
【００１２】
また、従来の技術では、画像読取装置を画像形成装置に取り付けた後も、スキャニングを行う際に読み取り位置がずれていく。この場合にも、画像読取装置は、原稿を読み取る位置によっては色度のバランスが変化することになる。
【００１３】
以上の課題に対する解決方法として、擬似白色ＬＥＤから放射した２色の光を光拡散手段で拡散させる方法がある。
【００１４】
しかしながら、この方法では、光拡散手段で光を強く拡散させると、照明領域が広がってしまう。つまり、２色の光を光拡散手段で拡散させる方法では、読み取りに必要でないところにも光が照射されてしまうため、光利用効率が下がってしまう。
【００１５】
また、従来の技術では、導光板を原稿面と平行に設けると、フレア光が発生しやすくなるという問題がある。つまり、導光板から出射して原稿面で反射した光が、原稿面と対向する導光体の面で反射して原稿面で再反射すると、フレア光になる。
【００１６】
特に、従来の技術では、導光体を原稿面と平行に設けると、原稿面からの反射光の角度と導光体の表面との関係から、フレア光成分が増えてしまう。
【００１７】
本発明は上記の課題に鑑みてなされたものであって、色度ムラと原稿面からの反射光によるフレア光の発生を低減することができる照明装置、照明装置を備える画像読取装置、及び画像読取装置を備える画像形成装置を提供することを目的とする。
【課題を解決するための手段】
【００１８】
本発明は、第１の方向に沿って配置され、第１の色の光を発する半導体発光素子と、半導体発光素子からの光によって励起され第１の色とは異なる第２の色の光を発する蛍光体と、を含む半導体発光装置と、端面に設けられ半導体発光装置からの第１の色の光と第２の色の光が入射する入射面と、入射面から入射した第１の色の光と第２の色の光とを第１の方向と直交する第２の方向に導光する導光部と入射面と上記導光部内を伝播する第１の色の光と第２の色の光とを第１の方向と第２の方向とに直交する第３の方向に出射する出射面と、導光部内の第１の色の光と第２の色の光とを出射面に向けて反射する反射部と、を有する導光部材と、照射面から導光部材に戻る光の光路上に配置される拡散部材と、を備えることを特徴とする。
【発明の効果】
【００１９】
本発明によれば、色度ムラと原稿面からの反射光によるフレア光の発生を低減することができる。
【図面の簡単な説明】
【００２０】
【図１】本発明に係る照明装置の実施の形態を示す副走査方向の断面図である。
【図２】上記照明装置の光源の正面図である。
【図３】上記光源からの光と導光部材と反射部との構成を示す、上記照明装置の副走査方向の拡大断面図である。
【図４】読み取り面位置の違いによる読み取り幅における上記光源からの２色の光の色のずれを示す模式図である。
【図５】上記光源からの光と導光部材と反射部との構成を示す、上記照明装置の副走査方向の拡大断面図である。
【図６】導光部材から上記遮光部材に向かう光の光路を示す、上記照明装置の副走査方向の拡大断面図である。
【図７】本発明に係る照明装置の別の実施の形態を示す副走査方向の断面図である。
【図８】本発明に係る画像読取装置の実施の形態を示す副走査方向の断面図である。
【図９】本発明に係る画像読取装置の別の実施の形態を示す副走査方向の断面図である。
【図１０】本発明に係る画像形成装置の実施の形態を示す副走査方向の断面図である。
【発明を実施するための形態】
【００２１】
以下、本発明に係る照明装置と画像読取装置と画像形成装置との実施の形態について、図面を参照しながら説明する。
【００２２】
●照明装置（１）●
先ず、本発明に係る照明装置の実施の形態について説明をする。
【００２３】
●照明装置の構成
図１は、本発明に係る照明装置の実施の形態を示す副走査方向の断面図である。照明装置１０は、原稿台ガラス５の読み取り領域６を照射面として光を照射する。
【００２４】
照明装置１０は、ＬＥＤチップやレーザーダイオード（以下「ＬＤ」ともいう。）チップなどの半導体発光素子を用いる半導体発光装置により構成される光源１と、光源１を載置する基板２と、光源１からの光を導光して、照射面に照射する導光部材３とを有する。
【００２５】
また、照明装置１０は、光源１から出射して導光部材３に入射しなかった光を反射する遮光部材８と、導光部材３から出射した光と原稿台ガラス５からの戻り光とを拡散させる拡散部材１１とを有する。
【００２６】
ここで、以下の説明において、光源１が配列される第１の方向を主走査方向とし、主走査方向と直交し光源１からの光が照射される第２の方向を副走査方向とする。
【００２７】
なお、本実施の形態において、Ｘ軸方向は、本発明における第１の方向に対応する。Ｚ軸方向は、本発明における第２の方向に対応する。Ｙ軸方向は、本発明における第３の方向に対応する。
【００２８】
●光源の構成
図２は、照明装置の光源の正面図である。図２に示すように、光源１は発光面１ｂをＺ軸方向に向けて基板２に複数配置される。ここで、個々の光源１は、所定の間隔で離間して配置される。
【００２９】
光源１は、上述の通り半導体発光素子を発光源とする半導体発光装置である。光源１は、例えばＬＥＤチップやＬＤチップからの光を第１の色の光として、この第１の光により励起される蛍光体からの光を第１の色の光とは異なる第２の光として、それぞれ出射する。光源１の構成例としては、青色ＬＥＤチップからの青色光と青色光により励起される黄色蛍光体からの黄色光との２色の光が混色して疑似的に白色光を生成する、いわゆる疑似白色ＬＥＤの発光装置が挙げられる。
【００３０】
光源１としては、様々なタイプの半導体発光装置を用いることができる。半導体発光装置として、いわゆるサイドビュータイプのものを用いると、基板２に対し図２に示すように実装することで、図１に示したように導光部材３側に光を出射できる。
【００３１】
また、光源１をサイドビュータイプの半導体発光装置にすると、図２におけるＹ軸方向の発光面１ｂのサイズが１ｍｍまたはそれ以下の寸法のものを選択できる。そのため、導光部材３として用いる導光体シートの厚さが１ｍｍ前後のときにも、発光面サイズが導光部材３の端面の厚さ方向（Ｙ軸方向）の長さよりも大きくならない。そのため、光源１としてサイドビュータイプの半導体発光装置を用いると、光源１の出射光が導光部材３に入射する効率が高まる。
【００３２】
なお、光源１の基板２への配置間隔について、Ｘ軸方向の基板中央部における光源間距離よりも基板外方部のピッチを狭くすると、結像素子を介して撮像素子上に照射される際の主走査方向の照度の均一性が改善される。
【００３３】
●導光部材の構成
図３は、光源からの光と導光部材と反射部との構成を示す、照明装置の副走査方向の拡大断面図である。
【００３４】
導光部材３は、略直方体の導光体シートである。導光部材３は、入射面３１と導光部３２と全反射面３３と出射面３４とを備える。出射面３４と反対側の全反射面３３の一部には、微細構造反射領域４１，４２，４３・・・を有してなる反射部４が形成されている。
【００３５】
入射面３１は、導光部３２に光源１からの光が導入される面である。入射面３１には、光源１のＬＥＤチップ１ａからの青色光と第１の色の光に励起された黄色蛍光体１ｃからの黄色光とが混色して発光面１ｂから照射された疑似白色光が入射する。
【００３６】
光源１の発光面１ｂと入射面３１とは、例えば１ｍｍ以下の所定の間隔で配置されている。この理由は、光源１の実装の精度によって実装位置がＺ軸方向（紙面左右方向）にずれることがあり、その場合でも光源１と導光部材３とが接触しないようにするためである。
【００３７】
つまり、一部の光源１と導光部材３とが接触している場合には、導光部材３に何らかの振動が加わったときに、接触している光源１に衝撃が集中するおそれがある。そのとき、その光源１は、基板２から外れるなどの損傷が起こり得る。このために、発光面１ｂと入射面３１との間には、間隔が設けられている。
【００３８】
導光部３２は、入射面３１から入射した光を出射面３４に向けて伝播する。導光部３２を伝播する光は、Ｙ軸方向（紙面上下方向）の両側面を全反射面３３として全反射を繰り返しながら進行する。
【００３９】
導光部３２を進む光は、反射部４に到達する。反射部４の表面形状を構成する微細構造反射領域４１，４２，４３・・・は、導光部３２を進む光の反射角を変えるために、Ｚ軸方向の面の傾きが、Ｚ軸方向に対して平行ではなく所定の傾き角を与えられている。
【００４０】
反射部４の微細構造反射領域４１，４２，４３・・・は、各々の反射面の傾きとピッチを変えることで、照明する光の向きを調整することができる。
【００４１】
なお、導光部３２を全反射して進行する光の反射角は、入射面３１からの入射角の相違などにより一様ではない。そのため、微細構造反射領域４１，４２，４３…の傾き角などは、導光部３２内の光が原稿台ガラス５に向かうように光線追跡を行って定めることができる。
【００４２】
全反射面３３と異なる傾き角を与えられた反射部４により、反射部４で反射した光は反射角が変わる。反射角が変わることで、導光部３２を伝播する光は、導光部材３の＋Ｙ軸方向側の全反射面３３への入射角が全反射角よりも小さくなる。
【００４３】
そのため、導光部３２を伝播する光は、全反射できなくなり導光部材３の出射面３４を透過する。出射面３４を透過する光は、原稿台ガラス５の上部にある読み取り領域６を照明する。
【００４４】
ここで、擬似白色光を発する光源１において、青色光を発するＬＥＤチップ１ａよりも＋Ｚ軸方向側に、青色光を黄色光に変換する黄色蛍光体１ｃが配置されている。図３からも分かるように、黄色蛍光体１ｃの発光面のＹ軸方向のサイズは、ＬＥＤチップ１ａの発光面のＹ軸方向のサイズよりも大きい。
【００４５】
そして、これらの２つの発光面から放射した２色の光は、導光部材３内で複数回全反射した後に読み取り領域６を照明する。つまり、２色の光は、導光部材３を経ないで読み取り領域６に到達する場合よりも光の光路長が長くなる。
【００４６】
図４は、読み取り面位置の違いによる読み取り幅における光源からの２色の光の色のずれを示す模式図である。図４は、読み取り面位置が光源１から遠くなる（光路長が長くなる）につれて、所定の読み取り幅Ｌにおける２色のズレが少なくなることを示している。
【００４７】
つまり、図４では、読み取り面位置ａにおける青色光の照度分布９ａと黄色光の照度分布９ｂとの比率と、読み取り面位置ｂにおける青色光の照度分布１０ａと黄色光の照度分布１０ｂとの比率とを読み取り幅Ｌ内で比較している。その結果、光源１からの距離が遠い読み取り面位置ｂの方が青色光の照度分布と黄色光の照度分布との比率の差が少ないことがわかる。
【００４８】
光路長を長くするためには、導光部材３内部での全反射回数を多くとればよい。光路長を長くすることにより、青色光の照度分布と黄色光の照度分布との比率の差による色度ムラの改善効果は高くなる。
【００４９】
導光体シートを用いることにより、導光部材３は、導光部３２内の全反射回数を多くすることができる。そのため、照明装置１０では、導光部材３により副走査方向の読み取り位置のずれの影響による色度ズレを低減することができる。
【００５０】
また、導光部材３に用いる導光体シートは、厚さが３ｍｍ以上ある従来の導光体より薄い１ｍｍ以下である。そのため、導光部材３により得られる光路長は、同じ長さで比較すると従来の導光体により得られる光路長の約３倍になる。
【００５１】
また、導光体シートを用いることにより、導光部材３の長さが短くできるため、照明装置１０の寸法も小型化できる。
【００５２】
●拡散部材の構成
次に、拡散部材１１の構成について、図１を参照して説明する。拡散部材１１は、導光部材３を透過して原稿台ガラス５に向かう光の光路上に出射面３４とほぼ平行に設けられている。拡散部材１１が設けられる位置は、図１に示すように、出射面３４を覆うような位置であり、例えば反射部４の入射面３１側の端部付近から導光部材３の先端（入射面３１とは反対側）付近までである。
【００５３】
なお、拡散部材１１は、導光部材３の出射面３４に当接して配置してもよい。
【００５４】
拡散部材１１は、公知の拡散シートであり、シート状で肉厚の薄いものを用いるのが好適である。また、拡散部材１１の性質としては、光透過拡散タイプのものが好ましい。
【００５５】
拡散部材１１に用いる拡散シートは、一方の面に拡散機能を有する。照明装置１０では、拡散機能がある側の面である拡散面１２を、照射面である読み取り領域６の側に対向させて配置させる。非拡散面は、出射面３４に対向させて配置される。
【００５６】
ここで、拡散部材１１を上述のように配置することによる作用を説明する。
【００５７】
通常、原稿台ガラス５に置かれる原稿面は鏡面でないことが一般的である。つまり、原稿台ガラス５からの光の反射は拡散反射となる。そのため、反射した光の一部は拡散部材１１に戻る。ここで、拡散部材１１の反射率はゼロではないので、原稿台ガラス５からの反射光は拡散部材１１によって再度反射される。
【００５８】
そして、拡散部材１１の原稿台ガラス５に対向する面が拡散面１２である場合には、拡散部材１１からの反射光は拡散反射になる。そのため、拡散部材１１からの反射光のうち、再び原稿台ガラス５に到達する光量（原稿台ガラス５からの再反射光になり得る光量）が極めて微量に低減される。
【００５９】
すなわち、上述のように拡散部材１１の拡散面１２を原稿台ガラス５に対向して設けることで、原稿台ガラス５からの再反射光が、不図示の読み取りレンズを介して不図示の撮像素子で受光される光量を極めて微量に低減させることができる。つまり、拡散面１２を読み取り領域６側に向けることで、照明装置１０では、フレア光成分を低減できる。
【００６０】
一方、拡散部材１１の原稿台ガラス５に対抗する面が拡散面１２ではなく非拡散面である場合には、拡散部材１１から原稿台ガラス５に対して正反射が発生する。そのため、原稿台ガラス５からの再反射光には、特定方向に対して強い指向性が生じる。
【００６１】
そして、指向性を持つ原稿台ガラス５からの再反射光が不図示の撮像素子に受光されると、比較的無視できない光量である場合がある。つまり、原稿台ガラス５からの再反射光が撮像素子に受光されると、画像信号に重畳されてフレア光成分となる。フレア光成分が画像信号に重畳されることにより、本来は黒である画像がグレーになるというように、黒の浮きが生じてしまう。
【００６２】
また、以上のような構成の拡散部材１１をシート状の導光部材３と共に用いて原稿台ガラス５と水平に配置することにより、照明装置１０は、Ｙ軸方向の寸法を小さくして構成することができる。
【００６３】
●遮光部材の構成
図５は、照明装置１０の遮光部材８の構成を示す、副走査方向の拡大断面図である。また、図６は、導光部材３から遮光部材８に向かう光の光路を示す、照明装置１０の副走査方向の拡大断面図である。
【００６４】
遮光部材８には、遮光性を有する遮光シートを用いることができる。遮光部材８は、光源１に対して基板２とは反対側のＹ軸方向の側面に原稿台ガラス５と略平行に設けられる。また、遮光部材８は、光源１の発光面１ｂと導光部材３の入射面３１との境界付近を覆うように設けられる。
【００６５】
ここで、光源１の発光面１ｂからの出射光は、上述の通り入射面３１から導光部３２に伝播する。このとき、発光面１ｂと入射面３１との距離は、上述の通り１ｍｍ以下の間隔を設けて配置されている。
【００６６】
そのため、光源１からの放射光の一部は、図６のように入射面３１で反射してしまう光や、導光部材３には入射せずに、基板２とは反対方向（原稿台ガラス５の方向）にも抜ける光もある。このような光が、原稿台ガラス５を抜けて原稿面に到達してしまうと、画像形成に影響を与えてしまう。遮光部材８は、このような光が原稿台ガラス５に向かうことがないようにしている。
【００６７】
●照明装置の動作例
次に、照明装置１０の動作例について、図１と図３を参照して説明する。
【００６８】
照明装置１０に電力が投入されると、図３に示すように、ＬＥＤチップ１ａから第１の色の光として青色光が発せられる。ＬＥＤチップ１ａからの光は、黄色蛍光体１ｃを励起し、黄色蛍光体１ｃからは第１の色とは異なる第２の色の光として黄色光を発する。そして、発光面１ｂからは、青色光と黄色光とが出射される。この青色光と黄色光とは、混色することで疑似白色光となる。
【００６９】
発光面１ｂから照射された疑似白色光は、入射面３１から導光部材３に入射する。疑似白色光に含まれる青色光の成分と黄色光の成分とは、導光部３２内を伝播して光路長が長くなることで、照度分布の差（色度ムラ）が低減される。
【００７０】
導光部３２を伝播する疑似白色光は、反射部４に設けられる微細構造反射領域４１，４２，４３・・・により反射角が変化して出射面３４から出射する。
【００７１】
図１に示すように、出射面３４から出射した疑似白色光は、読み取り領域６を照射する。読み取り領域６に照射された疑似白色光の一部は、原稿台ガラス５により全反射して出射面３４の方向に戻る。
【００７２】
出射面３４に戻る光の光路上には拡散部材１１が設けられる。ここで、拡散部材１１の拡散面１２は、照射面である読み取り領域６側に向けられている。そのため、出射面３４方向に戻る光は、拡散部材１１により拡散反射される。
【００７３】
一方、入射面３１に入射しなかった光源１からの光は、遮光部材８により遮光されるため、原稿台ガラス５に向うことはない。
【００７４】
以上説明した実施の形態によれば、導光部材３により全反射を繰り返して光路長が長くなり青色光と黄色光との照度分布の差が低減されるから、疑似白色ＬＥＤの青色光と黄色光とによる色度ムラの発生を低減することができる。
【００７５】
また、以上説明した実施の形態によれば、照射面から出射面３４に戻る光の光路上に拡散部材１１を配置することで、原稿などの対象物からの戻り光を拡散させることができる。つまり、拡散部材１１により特定の方向に強い光が多重反射することがないため、フレア光の発生を低減することができる。
【００７６】
また、以上説明した実施の形態によれば、拡散部材１１の拡散面１２を読み取り領域６に対向して配置することで出射面３４方向に戻る光を拡散させることにより、照明装置１０では原稿面のフレア光成分を低減できる。
【００７７】
また、以上説明した実施の形態によれば、遮光部材８により、原稿台ガラス５に向かう不要な光を抑えることができる。
【００７８】
さらに、以上説明した実施の形態によれば、拡散部材１１を平行に配置しているため、照明装置の高さを薄く構成することができる。
【００７９】
●照明装置（２）●
図７は、本発明に係る照明装置の別の実施の形態を示す副走査方向の断面図である。
【００８０】
光源１から導光部材３に入射する光には、入射角の小さい光が含まれる。入射角の小さい光は、導光部３２内で全反射する回数が少ない、あるいは反射することなく入射面３１の反対側の端面３５から抜ける。
【００８１】
そこで、端面３５を抜ける光を読み取り領域６に導くために、照明装置１０には、反射部材１３が設けられている。
【００８２】
反射部材１３は、副走査方向断面において、読み取り領域６の光軸Ｌに関して、光源１や導光部材３が設けられる側とは反対の側に設けられる。反射部材１３のサイズや傾き角は、読み取り領域６の照明効率が高くなるように調整される。
【００８３】
反射部材１３を設けることで、照明装置１０は、光源１からの光の利用効率が向上する。また、反射部材１３を設けることで、照明装置１０は、出射面３４からの光とは異なる角度で読み取り領域６を照射することができる。
【００８４】
以上説明した実施の形態によれば、反射部材１３を設けることで、照明装置１０は、原稿台ガラス５上の原稿に浮きや段差があるような場合においてもそのエリアに影が生じにくくすることができる。そのため、照明装置１０を備える画像読取装置は、原稿を読み取る際に画像上に黒筋が生じにくくすることができる。
【００８５】
また、以上説明した実施の形態によれば、反射部材１３を設けることで、端面３５から反射部材１３までの距離に応じて長くなるから、反射部材１３を経た光の光路長は、青色光と黄色光の色ズレを少なくすることができる。
【００８６】
なお、反射部材１３と原稿台ガラス５との間の光路上には、上述の拡散部材１１と同様の拡散部材１４を設けることができる。このようにすることで、原稿台ガラス５と対向する面に拡散面１２を向けて拡散部材１１を配置するのと同様に、原稿面のフレア光成分を低減することができる。
【００８７】
このとき、原稿台ガラス５と対向する面に拡散面１５を向けて拡散部材１４を配置してもよい。
【００８８】
●画像読取装置●
図８は、本発明に係る画像読取装置の実施の形態を示す副走査方向の断面図である。
【００８９】
画像読取装置１００は、照明装置１０と、第１の反射ミラー２１と、第２の反射ミラー２２と、第３の反射ミラー２３と、結像素子４０と、撮像素子（ＣＣＤ）４６とを有してなる。第１の反射ミラー２１、第２の反射ミラー２２、第３の反射ミラー２３、結像素子４０は、読取光学系を構成する。  
【００９０】
照明装置１０は、原稿台ガラス５上の原稿６０をライン状に照明する。第１の反射ミラー２１、第２の反射ミラー２２、第３の反射ミラー２３は、原稿反射光を結像素子４０に導き、原稿６０の像を撮像素子４６上に結像する。  
【００９１】
照明装置１０と第１の反射ミラー２１とは走査速度Ｖで、第２の反射ミラー２２と第３の反射ミラー２３は走査速度Ｖ／２で走査されて、原稿面５０全体をスキャンして読み取る。
【００９２】
図９は、本発明に係る画像読取装置の別の実施の形態を示す副走査方向の断面図である。
【００９３】
本実施の形態における画像読取装置２００では、照明装置１０と、反射ミラー２７、結像素子４０、撮像素子４６が一つの筐体２１０内に一体化されている。反射ミラー２７、結像素子４０は、読取光学系を構成する。  
【００９４】
筐体２１０は走査速度Ｖで副走査方向に原稿台ガラス５を走査して、原稿６０をスキャンして読み取る。画像読取装置２００は、図８で示した画像読取装置よりも走査機構が簡略化されているので、装置をＹ軸方向に薄型化できる。
【００９５】
以上説明した実施の形態によれば、上述の照明装置１０を用いるから、疑似白色ＬＥＤの青色光と黄色光とによる色度ムラの発生を低減することができる。
【００９６】
また、以上説明した実施の形態によれば、上述の照明装置１０を用いるから、原稿などの対象物からの戻り光を拡散させることができる。つまり、拡散部材１１により特定の方向に強い光が多重反射することがないため、フレア光の発生を低減することができる。
【００９７】
さらに、以上説明した実施の形態の画像読取装置２００によれば、読取光学系と撮像素子が一体となる筐体を用いることにより、走査駆動の動的振動に伴う副走査方向の原稿読み取り位置の誤差が小さくなる。そのため、画像読取装置２００によれば、誤差を見込んで読み取りに必要な照明領域を副走査方向に広くしなくてもよい。また、画像読取装置２００によれば、走査機構の一体化により走査機構を駆動するエネルギーが低減されるから、図８に示した画像読取装置１００より省エネルギー化できる。
【００９８】
●画像形成装置●
図１０は、本発明に係る画像形成装置の実施の形態を示す副走査方向の断面図である。図１０には、照明装置１０、画像読取装置２００または画像読取装置３００を備えた画像形成装置の一形態としてのフルカラーの複写機４００の構成を示す。
【００９９】
複写機４００の装置本体４０２内の中央部には、カラー画像を形成するための画像形成部４０３が設けられている。  
【０１００】
画像形成部４０３は、等間隔に離間させて水平向きに並列に配設された４つのドラム状の感光体４０４、感光体４０４の外周面を一様に帯電する帯電ローラ４０５を備える。  
【０１０１】
また、画像形成部４０３は、帯電ローラ４０５により帯電された各感光体４０４の外周面を画像データに応じて露光することにより静電潜像を形成する露光装置４０６、静電潜像にトナーを供給することにより静電潜像をトナー像として顕像化する現像装置４０７を備える。  
【０１０２】
また、画像形成部４０３は、感光体４０４上のトナー像が順次転写される中間転写ベルト４０８、中間転写ベルト４０８上へのトナー像の転写後に感光体４０４上に残留したトナーを除去するクリーニング装置４０９を備える。  
【０１０３】
さらに、画像形成部４０３は、中間転写ベルト４０８上に転写されたトナー像を記録媒体Ｓに転写させる転写ローラ４１０等により構成されている。  
【０１０４】
なお、４つの感光体４０４上にはそれぞれ異なる色のトナー像（Ｙ；イエロー、Ｍ；マゼンタ、Ｃ；シアン、Ｋ；ブラック）が形成される。これらの各色のトナー像が中間転写ベルト４０８上に転写されることにより、中間転写ベルト４０８上ではカラーのトナー像が形成され、このカラーのトナー像が記録媒体Ｓに転写される。  
【０１０５】
装置本体４０２の上部には、後述する照明装置による照明対象物である原稿を自動送りするＡＤＦ４１１と、後述する照明装置による照明対象物である原稿が載置されるコンタクトガラス４１２と、ＡＤＦ４１１で自動送りされた原稿またはコンタクトガラス４１２上に載置された原稿を読み取る画像読取装置４１３とが配置されている。  
【０１０６】
画像読取装置４１３は、コンタクトガラス４１２と平行に２：１の速度で走行可能な第１走行体４１４と第２走行体４１５、レンズ４１６、画像読み取り素子であるＣＣＤ４１７等により構成されている。  
【０１０７】
第１走行体４１４には、コンタクトガラス４１２上に載置された原稿、または、ＡＤＦ４１１で搬送される原稿の原稿面を照明するための照明装置１０と、原稿面で反射されて読取光軸に沿って進行する読取光を反射させる第１ミラー４１９とが搭載されている。  
【０１０８】
第２走行体４１５には、第１ミラー４１９で反射された光をさらに反射させる第２ミラー４２０と第３ミラー４２１とが搭載されている。第１〜第３ミラー４１９、４２０、４２１で順次反射された読取光の進行方向前方には、レンズ４１６とＣＣＤ４１７とが配置されている。  
【０１０９】
装置本体４０２の下部には、記録媒体Ｓを収納する複数段、例えば４段の用紙カセット４２４が設けられている。これらの用紙カセット４２４内に収納された記録媒体Ｓはピックアップローラ４２５とフィードローラ４２６とにより一枚ずつ分離給紙され、分離給紙された記録媒体Ｓは装置本体４０２内に設けられた用紙搬送路４２７に沿って搬送される。  
【０１１０】
用紙搬送路４２７上には、レジストローラ４２８、転写ローラ４１０、定着装置４２９、排紙ローラ４３０等が配置されている。  
【０１１１】
このような構成において、画像読取装置４１３での読み取り結果に応じて露光装置４０６の半導体レーザから各色（イエローＹ、マゼンタＭ、シアンＣ、ブラックＫ）の画像データに応じたレーザ光が出射される。そのレーザ光が帯電ローラ４０５により一様に帯電された各感光体４０４の外周面を露光することにより静電潜像が形成される。この静電潜像に対して各現像装置４０７から各色のトナーが供給されることにより、各色のトナー像が形成される。各感光体４０４上のトナー像は、感光体４０４と同期して移動する中間転写ベルト４０８上に順次転写され、中間転写ベルト４０８上にはカラートナー像が形成される。  
【０１１２】
一方、画像形成部４０３での画像形成動作開始に合わせ、用紙カセット４２４内からは、記録媒体Ｓの分離給紙が開始され、分離給紙されて用紙搬送路４２７上を搬送された記録媒体Ｓは間欠的に回転駆動するレジストローラ対４２８により、中間転写ベルト４０８と転写ローラ４１０との間の転写位置へ送り込まれる。  
【０１１３】
次にレジストローラ対４２８が回転駆動され、記録媒体Ｓが中間転写ベルト４０８と転写ローラ４１０との間に送り込まれることにより、中間転写ベルト４０８上のカラートナー像が記録媒体Ｓ上に転写される。記録媒体Ｓ上に転写されたカラートナー像は、記録媒体Ｓが定着装置４２９を通過する過程で記録媒体Ｓに定着され、カラートナー像が定着された記録媒体Ｓは排紙ローラ対４３０によって排紙トレイ４３１上に排紙される。  
【０１１４】
複写機４００を構成する、照明装置１０は上述した本発明に係る照明装置であり、画像読取装置４１３には、上述した本発明に係る画像読取装置１００または２００を搭載している。
【０１１５】
以上説明した実施の形態によれば、上述の照明装置１０を用いるから、疑似白色ＬＥＤの青色光と黄色光とによる色度ムラの発生を低減することができる。
【０１１６】
また、以上説明した実施の形態によれば、上述の照明装置１０を用いるから、原稿などの対象物からの戻り光を拡散させることができる。つまり、拡散部材１１により特定の方向に強い光が多重反射することがないため、フレア光の発生を低減することができる。
【０１１７】
なお、画像読取装置４１３はスキャナ装置として独立に動作させることも可能である。
【符号の説明】
【０１１８】
１        ：光源
１ａ      ：ＬＥＤチップ
１ｂ      ：発光面
１ｃ      ：黄色蛍光体
２        ：基板
３        ：導光部材
４        ：反射部
５        ：原稿台ガラス
６        ：読み取り領域
８        ：遮光部材
１０      ：照明装置
１１      ：拡散部材
１２      ：拡散面
１３      ：反射部材
１４      ：拡散部材
１５      ：拡散面
２１      ：第１の反射ミラー
２２      ：第２の反射ミラー
２３      ：第３の反射ミラー
２７      ：反射ミラー
３１      ：入射面
３２      ：導光部
３３      ：全反射面
３４      ：出射面
３５      ：端面
４０      ：結像素子
４１      ：微細構造反射領域
４６      ：撮像素子
５０      ：原稿面
６０      ：原稿
【先行技術文献】
【特許文献】
【０１１９】
【特許文献１】特開２００６−６７５５１号公報
【特許文献２】特開２０１０−１２２７０７号公報
【図１】
2014007553.tif 000003
【図２】
2014007553.tif 000004
【図３】
2014007553.tif 000005
【図４】
2014007553.tif 000006
【図５】
2014007553.tif 000007
【図６】
2014007553.tif 000008
【図７】
2014007553.tif 000009
【図８】
2014007553.tif 000010
【図９】
2014007553.tif 000011
【図１０】
2014007553.tif 000012